(57)【要約】【課題】誤挿入されたカードの端面を係止することによって発生する荷重を複数箇所で分散して受け止めることのできるカードコネクタを提供する。【解決手段】ボディ１とカバー３との相互間の空間をカード挿入空間とした筐体に、カード１００の電極１１０に弾接するコンタクト２が備わっている。裏返し姿勢で誤挿入されたカード１００の端面１０５を係止してカード１００のセット位置への挿入を阻止する係止手段と、カード１００に弾接してそのカード１００をボディ１のカード支持面１６に押し付ける板ばね片３４を有する。係止手段が、カバー３に切起し形成した係止片列３５で形成する。係止片列３５が、複数の第１係止片３６と囲構部３８によってバックアップされた第２係止片３７とを含む。【選択図】        図５
2004241355.tif 000002
【特許請求の範囲】
【請求項１】
カードが重なり合うカード支持面を備えたボディとこのボディに装着された板金製のカバーとを有し、ボディとカバーとの相互間の空間がカード挿入空間として形成された筐体に、上記カード挿入空間のカードセット位置に挿入されたカードの板面に具備されている電極に弾接するコンタクトが備わり、上記カード挿入空間に裏返し姿勢で誤挿入されたカードの挿入方向側の先行端面を係止してカードのセット位置への挿入を阻止する係止手段を備えたカードコネクタにおいて、
カード挿入空間に挿入されたカードに弾接してそのカードを上記ボディのカード支持面に押し付けるカード弾圧手段を備えていると共に、上記係止手段が、上記カバーの複数箇所に内向きに切起し形成されて裏返し姿勢で誤挿入されたカードの上記先行端面をその複数箇所に面接触して係止する係止片列でなることを特徴とするカードコネクタ。
【請求項２】
上記係止片列が、カバーの複数箇所に切り出した切出し片のそれぞれの付け根部分の１箇所を折り曲げてそれらの切出し片を内向きに切り起こしてなる複数の第１係止片と、カバーに切起し形成された門形の囲構部によって背面側からバックアップされた第２係止片とを含んでいる請求項１に記載したカードコネクタ。
【請求項３】
上記第１係止片は、カード挿入空間のカードセット位置に正規姿勢で挿入されて片側板面が上記カード支持面に接触して重なり合っているカードの他側板面に形成された溝形凹所内に突き出し、かつ、その溝形凹所に配備されてカードの他側板面との間に段差を形成している電極に間隔を隔てて対峙するようになっている請求項２に記載したカードコネクタ。
【請求項４】
上記第２係止片と上記囲構部が、カード挿入空間のカードセット位置に正規姿勢で挿入されたカードに備わっている溝部に収容されるようになっている請求項２又は請求項３に記載したカードコネクタ。
【請求項５】
上記第１係止片の表面が電気絶縁処理されている請求項２ないし請求項４のいずれか１項に記載したカードコネクタ。
【請求項６】
上記第２係止片の表面を粗面処理して上記カードの先行端面との摩擦抵抗を増大させてある請求項２ないし請求項５のいずれか１項に記載したカードコネクタ。
【請求項７】
上記カード弾圧手段が、上記カバーに内向きに切起し形成された片持ち状の板ばね片でなる請求項１ないし請求項６のいずれか１項に記載したカードコネクタ。
【請求項８】
上記カード挿入空間のカード挿入口が上記ボディ及び上記カバーの各端縁部で形作られていると共に、カード挿入口の口縁を形成しているカバーの端縁部が、外向きに切り起こされた誘い片として形成されている請求項１ないし請求項７のいずれか１項に記載したカードコネクタ。
【発明の詳細な説明】
【０００１】
【発明の属する技術分野】
本発明は、カードコネクタ、特に、筐体のカード挿入空間のカードセット位置にメモリーカードなどのカードが裏返し姿勢で誤挿入されることを防ぐことができるようになっているカードコネクタに関する。
【０００２】
【従来の技術】
従来、メモリーカードを取り扱うカードコネクタでは、カードが裏返し姿勢で筐体のカード挿入空間のカードセット位置に誤挿入されてしまうことを防ぐ機械的手段として、筐体に別部品としての板ばねでなるストッパを片持ち状に取り付けたり、筐体を形成している板金製のカバーにストッパープレートを片持ち状に切起し形成したりしておき、それらのストッパやストッパープレートの自由端を、裏返し姿勢で誤挿入されてきたカードの端面に突き当ててそのカードがカードセット位置に挿入されてしまうことを防ぐようにしたものがあった（たとえば特許文献１又は特許文献２参照）。
【０００３】
【特許文献１】
特開平１０−１８７８９６号公報
【特許文献２】
特開平１０−９１７２９号公報
【０００４】
【発明が解決しようとする課題】
しかしながら、上掲の先行例に記載されている誤挿入防止手段には、カードに過大な押込力が加えられたときにカードがストッパやストッパープレートの自由端によって傷付けられたり、場合によっては片持ち状のストッパやストッパープレートが座屈してカードの板面と筐体との間に噛み込み、そのためにカードを排出することができなくなったりするおそれがある。このようなおそれは、カードの小形化に応じて小形化が促進された小形カードコネクタで顕著になる。
【０００５】
そのため、カードが裏返し姿勢で誤挿入された場合に、そのカードがカードセット位置まで挿入されてしまうことを機械的に確実に防止することができ、しかも、カードに過大な押込力が加えられたときでもその誤挿入を防ぐ手段ひいてはカードコネクタが破壊されないようにすることが要求されている。
【０００６】
本発明は以上の事情に鑑みてなされたものであり、裏返し姿勢で誤挿入されたカードの端面を係止することによって発生する荷重を複数箇所で分散して受け止めることができるような工夫を講じることによって、カードの誤挿入を機械的な手段で防止し、併せて、カードに過大な押込力が加えられたときでも、カードが傷付いたりカードの誤挿入を防ぐ手段ひいてはカードコネクタが容易に破壊されたりしないようにすることを目的としている。
【０００７】
また、本発明は、上記のようなカードの誤挿入を部品の損壊を生じることなく防止できるカードコネクタにおいて、カードやコンタクト設置位置などについて公差範囲内での寸法のばらつきがあっても、カード挿入空間のカードセット位置に正規姿勢で挿入されたカードの電極にコンタクトが確実に電気的接続されるカードコネクタを提供することを目的とする。
【０００８】
【課題を解決するための手段】
本発明に係るカードコネクタは、カードが重なり合うカード支持面を備えたボディとこのボディに装着された板金製のカバーとを有し、ボディとカバーとの相互間の空間がカード挿入空間として形成された筐体に、上記カード挿入空間のカードセット位置に挿入されたカードの板面に具備されている電極に弾接するコンタクトが備わり、上記カード挿入空間に裏返し姿勢で誤挿入されたカードの挿入方向側の先行端面を係止してカードのセット位置への挿入を阻止する係止手段を備えたカードコネクタにおいて、カード挿入空間に挿入されたカードに弾接してそのカードを上記ボディのカード支持面に押し付けるカード弾圧手段を備えていると共に、上記係止手段が、上記カバーの複数箇所に内向きに切起し形成されて裏返し姿勢で誤挿入されたカードの上記先行端面をその複数箇所に面接触して係止する係止片列でなる、というものである。
【０００９】
この発明によると、カード挿入空間に裏返し姿勢でカードが誤挿入されたときには、そのカードの先行端面を係止手段が係止してカードがカードセット位置に挿入されてしまうことが防止される。そして、係止手段が、裏返し姿勢で誤挿入されたカードの先行端面をその複数箇所に面接触して係止する係止片列でなるので、その係止片列がカバーの複数箇所に内向きに切起し形成されているものであっても、カードの先行端面を係止することによって発生する荷重が複数箇所で分散して受け止められるようになる。そのため、カードに過大な押込力が加えられても係止片列が座屈したりカードと筐体との間に係止片列が噛み込んでカードを排出することができなくなったりすることがない。また、係止片列はカードの先行端面を面接触して係止するのでカードが傷付くという事態も生じにくい。さらに、カード挿入空間に挿入されたカードに弾接してそのカードをボディのカード支持面に押し付けるカード弾圧手段を備えているので、そのカード支持面を基準面としてコンタクトの初期位置などを定めることが可能になり、そうすることによって、カードやコンタクト設置位置などについて公差範囲内での寸法のばらつきがあっても、カード挿入空間のカードセット位置に正規姿勢で挿入されたカードの電極にコンタクトが確実に電気的接続されるようになってカード挿入操作の信頼性や電気的接続信頼性が向上する。
【００１０】
本発明では、上記係止片列が、カバーの複数箇所に切り出した切出し片のそれぞれの付け根部分の１箇所を折り曲げてそれらの切出し片を内向きに切り起こしてなる複数の第１係止片と、カバーに切起し形成された門形の囲構部によって背面側からバックアップされた第２係止片とを含んでいることが望ましい。これによれば、複数の第１係止片を容易に形成することができるほか、誤挿入されたカードに過大な押込力が加わっても、第２係止片に加わる押込力を門形の囲構部が受け止めるため、第２係止片が座屈を生じたりすることはなく、そのことが、第１係止片に座屈を生じることを防ぐことにも役立つ。したがって、全体として優れた誤挿入防止作用が発揮されるようになり、カードが裏返し姿勢で誤挿入された場合に、そのカードがカードセット位置まで挿入されてしまうことを機械的に確実に防止することができ、しかも、カードに過大な押込力が加えられたときでも係止片列やカードコネクタが破壊されないようになる。
【００１１】
本発明において、上記第１係止片は、カード挿入空間のカードセット位置に正規姿勢で挿入されて片側板面が上記カード支持面に接触して重なり合っているカードの他側板面に形成された溝形凹所内に突き出し、かつ、その溝形凹所に配備されてカードの他側板面との間に段差を形成している電極に間隔を隔てて対峙するようになっていることが望ましく、この構成であると、正規姿勢で挿入されたカードの電極にカバーに切起し形成された第１係止片が短絡するという事態が起こらず、しかも、裏返し姿勢でカードが挿入されたときには、第１係止片がカードの先行端面を確実に係止するので、裏返し姿勢で誤挿入されたカードのカードセット位置への挿入を阻止する作用を第１係止片が確実に発揮するようになる。
【００１２】
本発明では、上記第２係止片と上記囲構部が、カード挿入空間のカードセット位置に正規姿勢で挿入されたカードに備わっている溝部に収容されるようになっていることが望ましい。これによれば、正規姿勢で挿入されたカードが第２係止片や上記囲構部によって係止されることなくカードセット位置まで押し込まれるようになる。
【００１３】
本発明では、上記第１係止片の表面が電気絶縁処理されていることが望ましい。これによれば、正規姿勢で挿入されたカードの電極と第１係止片との間に金属屑などが介在したとしても、その金属屑を介してカードの電極と第１係止片とが短絡することがなくなって電気的接続信頼性が向上する。
本発明では、上記第２係止片の表面を粗面処理して上記カードの先行端面との摩擦抵抗を増大させてあることが望ましい。これによれば、裏返し姿勢で誤挿入されたカードの先行端面に第２係止片や第１係止片が係止してその誤挿入が阻止された場合に、第２係止片とカードの先行端面とが滑りにくい状態で接触しているので、カードが浮き上がって第１係止片を乗り越えるというような不測の事態が起こりにくくなって係止片列による誤挿入防止作用の信頼性が向上する。
【００１４】
本発明ては、上記カード弾圧手段が、上記カバーに内向きに切起し形成された片持ち状の板ばね片でなることが望ましい。これによれば、部品を追加することなく安価にカード弾圧手段を形成することができる。
【００１５】
本発明では、上記カード挿入空間のカード挿入口が上記ボディ及び上記カバーの各端縁部で形作られていると共に、カード挿入口の口縁を形成しているカバーの端縁部が、外向きに切り起こされた誘い片として形成されていることが望ましい。これによれば、カード挿入口を通じてカード挿入空間にカードを挿入しやすくなる。その作用は、カード挿入口の開口幅が数ｍｍという超小形カードコネクタに本発明を適用した場合に極めて有益な事項となる。
【００１６】
【発明の実施の形態】
図１は本発明に係るカードコネクタのボディ１の概略斜視図、図２は同カバー３を裏返して示した概略斜視図、図３は本発明に係るカードコネクタの使用対象であるメモリーカードなどのカードの概略斜視図である。
【００１７】
図１に示したボディ１は合成樹脂成形体でなり、その前端のヘッド部１２に横に並ぶ多数のコンタクト２が取り付けられていて、ボディ１の内側に突き出ているコンタクト２の先端部が図３のカード１００に具備された電極１１０に対応する接点２１として形成されているのに対し、ボディ１の外側へ突き出ているコンタクト２の他端部が配線基板（不図示）のランドに半田付けされる半田付け端子２２として形成されている。ボディ１はその左右の端縁部に側壁部１３，１４を有し、それらの側壁部１３，１４の相互間空間が、カード１００を挿入するためのカード挿入空間と、そのカード挿入空間の片側のスライダ収容スペースとに区画されていて、上記した多数のコンタクト２はカード挿入空間の前端部に突出している。
【００１８】
ボディ１のスライダ収容スペースに縦長形状のスライダ６が前後移動自在に取り付けられている。このスライダ６は、前端部に内向きに突き出たカード受部６１を備えていて、カード挿入空間に挿入されてきたカード１００の前端コーナ部をこのカード受部６１が受け止めるようになっている。また、スライダ６はコイルばねでなるばね材６２によって常時後方へ向けて弾発付勢されており、その後退限界位置は、スライダ６がボディ１２の後端に備わっている突部１５に当たることによって規制されるようになっている。
【００１９】
このボディ１に図２のカバー３を装着することによって筐体が形成され、その筐体によってカード挿入空間（スロットル）が形作られると共に、筐体の内部でカード挿入空間の側部に上記スライダ６が位置する。そして、筐体のカード挿入空間にカード１００を正規姿勢で挿入したときには、カード１００の前端コーナ部がスライダ６のカード受部６１に突き当たってスライダ６を押し込むと共に、図３のようにカード１００に具備されている凹所１２０にスライダ６に備わっている樹脂レバー６３の突起６３が嵌合してカード１００がスライダ６にハーフロックされる。また、カード１００によって押し込まれたスライダ６は、カード挿入空間内のカードセット位置に対応する位置でカム機構７の作用によってロックされる。さらに、カードセット位置に対応する位置にスライダ６がロックされているときに、カードを介してスライダ６を押し込むとそのロック状態が解除され、ばね材６２の力でスライダ６がカード１００と共に初期位置まで後退する。なお、ハーフロックとは、カード１００を大きな力で引張ったときにはカード１００がスライダ６から引き抜かれ、カードを引張る力がそれほど大きくないときには、カード１００がスライダ６に保持されているようなロック状態のことである。
【００２０】
図１に示したボディ１の底面は、カード挿入空間に挿入されたカード１００が重なり合うカード支持面１６として平坦に形成されている。また、図２のカバー３は板金製であって、その幅方向両側に図１のボディ１の側壁部１３，１４の外側に重なり状に嵌合されて固定される壁部３１，３２を備えている。また、カバー３は、その上板部３３の左右２箇所に、内向きに切起し形成された前向き片持ち状の板ばね片３４，３４でなるカード弾圧手段を有していると共に、前端側部分に係止片列３５を有している。係止片列３５は、横一列に並んだ複数の第１係止片３６…と、それらの第１係止片３６の横に一列に並んだ第２係止片３７とからなる。そして、第１係止片３６は、カバー３の上板部３３の複数箇所に切り出した切出し片のそれぞれの付け根部分の１箇所３６ａ（図６参照）を略直角に折り曲げてそれらの切出し片を内向きに切り起こすることによって形成されていて、それぞれの第１係止片３６の高さは同一になっている。これに対し、第２係止片３７は、カバー３の上板部３３に切起し形成された門形の囲構部３８に一体に連設されていて、囲構部３８が第２係止片３７を背面側からバックアップしている。図９は図２のＩＸ−ＩＸ線に沿う部分の拡大断面図であり、同図で判るように、囲構部３８はＵ字形状に形成されている。また、第２係止片３７や囲構部３８の高さは、カード１００に備わっている溝部１０４に干渉しない程度の高さになっている（図３参照：溝部１０４については後述する）。
【００２１】
次に、図３に示した使用対象としてのカード１００は、平坦な片側板面１０１（図６など参照）とその反対側の他側板面１０２とを有していて、他側板面１０２に上記凹所１２０が備わっていると共に、その他側板面１０２の前端部には横に並んだ複数条の溝形凹所１０３が備わり、それらの溝形凹所１０３のそれぞれに各別に上記電極１１０が配備されている。しかも、それぞれの溝形凹所１０３に配備されている電極１１０とカード１００の他側板面１０２との間には一定の段差Ａが形成されている。さらに、カード１００の片側板面１０２の幅方向一端側の前端部には溝部１０４が形成されている。
【００２２】
図４はカード挿入空間にカード１００が裏返し姿勢で誤挿入された場合の作用を説明するための要部拡大縦断側面図、図５は同作用を説明するための概略底面図、図６はカード挿入空間にカード１００が正規姿勢で挿入された場合の作用を説明するための要部拡大縦断側面図、図７はカード弾圧手段としての板ばね片３４の作用などを説明するための要部拡大縦断側面図である。
【００２３】
上記したボディ１とカバー３との相互杆の空間によって形成されているカード挿入空間のカードセット位置に図３のカード１００を正規姿勢で挿入したときには、図７のように板ばね片３４がカード１００の他側板面１０２に弾接してそのカード１００の片側板面１０１がボディ１のカード支持面１６に押し付けられて接触状態で重なり合った状態になる。また、図６のように、それぞれの第１係止片３６がカード１００の他側板面１０２の複数の溝形凹所１０３内に各別に突き出し、かつ、その溝形凹所１０３に配備されている電極１１０に間隔を隔てて対峙する。この場合、上記のようにカード１００が板ばね片３４によってボディ１のカード支持面１６に弾圧状態で押し付けられているので、そのカード支持面１６を基準面として図７に示したカード支持面１６と電極１１０の表面との間隔寸法ａが公差範囲内に収まり、かつ、図６に示した第１係止片３６の高さが公差範囲内に収まっていれば、第１係止片３６が電極１１０に接触して短絡するという事態は起こり得ない。しかしながら、稀には、カード挿入空間に侵入した金属屑などが第１係止片３６と電極１１０との間に介在されて両者が金属屑などを介して短絡するという事態が起こることも想定される。そこで、この実施形態では、第１係止片３６のそれぞれに絶縁皮膜を形成するという絶縁処理を施してある。このようにしておけば、カード挿入空間に侵入した金属屑などが第１係止片３６と電極１１０との間に介在されたとしても、両者が電気的に短絡するという事態の起こる余地がなくなるので、カバー３によってカード１００側の複数の電極１１０が短絡して誤作動を起こすおそれがなくなり、それだけ接続信頼性が向上する。
【００２４】
また、上記のようにカード挿入空間のカードセット位置に図３のカード１００を正規姿勢で挿入したときには、図３に示したカード１００の溝部１０４に図２に示したカバー３の第２係止片３７と囲構部３８とが収容される。さらに、図６のように、コンタクト２の接点２１がカード１００の溝形凹所１０３に進入して電極１１０に乗り上がり、コンタクト２の接点２１が電極１１０に電気的接続される。
【００２５】
ここで、図７に示したように、コンタクト２の接点２１は、コンタクト２を形成している板ばね材の先端部を湾曲形状に折り曲げて谷形に形成されていて、カードセット位置に挿入されたカード１００の電極１１０にその接点２１を弾接させて接続信頼性を高めるようになっている。そのため、カード１００がカードセット位置に挿入されていないときには、コンタクト２の接点２１が、カードセット位置に挿入されたカード１００の電極１１０に対する接触位置よりも下位に位置している必要があり、そのようにしておくと、カードセット位置に挿入されたカード１００の電極１１０にコンタクト２の接点２１が乗り上がると、その接点２１が電極１１０に弾接するようになる。ところが、コンタクト２の接点２１の先端２３が下位に位置しすぎていると、カード１００がカードセット位置に挿入されてきたときに、その先端２３がカード１００に突き当たって座屈を生じたりするおそれがある。
【００２６】
この点に関しても、カード１００が図７に示した板ばね片３４によってボディ１のカード支持面１６に弾圧状態で押し付けられているので、そのカード支持面１６を基準面として図７に示したカード支持面１６と接点２１の先端２３との間隔寸法ｂを、上記したカード支持面１６と電極１１０の表面との間隔寸法ａよりも大きくしておくと、その間隔寸法ｂが公差範囲内に収まっている限り、カード１００がカードセット位置に挿入されてきたときに、接点２１の先端２３がカード１００に突き当たるという事態が起こり得ない。
【００２７】
以上より、この実施形態のようにカード弾圧手段としての板ばね片３４を設けておき、その板ばね片３４でカード挿入空間に挿入されたカード１００をボディ１のカード支持面１６に接触させて弾圧するようにしておくと、当該カードコネクタ側では、ボディ１のカード支持面１６を基準面としてコンタクト２の接点２１の初期位置を公差範囲内に設定し、カード１００側では、上記カード支持面１６に重なり合う片側板面１０１を基準面としてその片側板面１０１と電極１１０の表面との間隔寸法ａを公差範囲内に設定するだけで、カード１００の全厚を考慮することなく、カード１００がコンタクト２に突き当たってコンタクト２が座屈するという事態が起こることを回避してカード挿入操作の信頼性や接続信頼性を高めることが容易に可能になるので、累積公差をきわめて小さく抑えることが可能になってカードコネクタ自体の厚さを薄くし、その薄形化を促進しやすくなる。
【００２８】
次に、カード１００が裏返し姿勢でカード挿入空間に誤挿入された場合には、図４又は図５のように、カード１００の挿入方向の端面、すなわち先行端面１０５を、複数の第１係止片３６や第２係止片３７が係止するので、カード１００を押し込めなくなる。これによってカード１００が裏返し姿勢のままカードセット位置まで押し込まれてしまうことが防止される。
【００２９】
特にこの実施形態では、複数の第１係止片３６と第２係止片３７とがカード１００の先行端面１０５の複数箇所に接触して係止するので、カード１００の先行端面１０５を係止することによって発生する荷重が複数の第１係止片３６や第２係止片３７で分散して受け止められるようになる。そのため、カード１００に過大な押込力が加えられても第１係止片３６や第２係止片３７が座屈したりカード１００と筐体との間にそれらの係止片３６，３７が噛み込んでカード１００を排出することができなくなったりすることがない。
【００３０】
また、この実施形態では、第１係止片３６や第２係止片３７の板面がカード１００の先行端面１０５に面接触して係止するように構成しているので、カード１００が傷付くという事態も生じにくい。
【００３１】
さらに、誤挿入されたカード１００に過大な押込力が加わっても、第２係止片３７に加わる押込力が門形の囲構部３８によって受け止められるので、第２係止片３７が座屈を生じたりすることはなく、その結果、第１係止片３６が座屈を生じることもなくなる。したがって、全体として優れた誤挿入防止作用が発揮されるようになり、カード１００が裏返し姿勢で誤挿入された場合に、そのカード１００がカードセット位置まで挿入されてしまうことを機械的に確実に防止することができ、しかも、カード１００に過大な押込力が加えられたときでも係止片列やカードコネクタが破壊されないようになる。
【００３２】
ところで、カード１００が裏返し姿勢で誤挿入されてその先行端面１０５を第１係止片３６や第２係止片３７が係止した場合でも、カード１００に加えられる操作力などによってその先行端面１０５が第１係止片３６や第２係止片３７に対し滑ってカード１００がカード挿入空間内で傾いたりして先行端面１０５が上下方向で変位し、それによって第１係止片３６や第２係止片３７を先行端面１０５が乗り越えるという事態が稀に想定される。そこで、この点を改善するために、この実施形態では、第２係止面３７の表面をサンドブラスト加工などの手段で粗面処理することによんて、カード１００の先行端面１０５と第２係止片３７との摩擦抵抗を増大させてある。こうしておけば、裏返し姿勢で誤挿入されたカード１００の先行端面１０５に第２係止片３７や第１係止片３６が係止してその誤挿入が阻止された場合に、第２係止片３７とカード１００の先行端面１０５とが滑りにくい状態で接触しているので、カード１００が傾いたりして第１係止片３６を乗り越えるというような不測の事態が起こりにくくなる。
【００３３】
さらにこの実施形態では、図８に示したように、カード挿入空間のカード挿入口１３０をボディ１及びカバー３の各端縁部で形作り、カード挿入口１３０の口縁を形成しているカバーの端縁部を外向きに切り起こして誘い片３９として形成してある。こうしておけば、カード挿入口１３０の縦幅が数ｍｍに過ぎない超薄型のカードコネクタであっても、カード挿入口１３０からカード挿入空間にカード１００を容易にかつ確実に挿入することができるようになる。
【００３４】
【発明の効果】
以上のように、本発明に係るカードコネクタによれば、裏返し姿勢で誤挿入されたカードの端面を係止することによって発生する荷重を複数箇所で分散して受け止めることができるようになるので、カードの誤挿入を機械的な手段で防止し、併せて、カードに過大な押込力が加えられたときでも、カードが傷付いたりカードの誤挿入を防ぐ手段ひいてはカードコネクタが容易に破壊されたりしないようになる。また、カードやコンタクト設置位置などについて公差範囲内での寸法のばらつきがあっても、カード挿入空間のカードセット位置に正規姿勢で挿入されたカードの電極にコンタクトが確実に電気的接続されるカードコネクタを提供することが可能になる。
【図面の簡単な説明】
【図１】本発明に係るカードコネクタのボディの概略斜視図である。
【図２】同カバーを裏返して示した概略斜視図である。
【図３】本発明に係るカードコネクタの使用対象であるカードの概略斜視図である。
【図４】カードが裏返し姿勢で誤挿入された場合の作用を説明するための要部拡大縦断側面図である。
【図５】同作用を説明するための概略底面図である。
【図６】カードが正規姿勢で挿入された場合の作用を説明するための要部拡大縦断側面図である。
【図７】カード弾圧手段としての板ばね片の作用などを説明するための要部拡大縦断側面図である。
【図８】図２のＩＸ−ＩＸ線に沿う部分の拡大断面図である。
【図９】カード挿入口の形状を示した部分断面図である。
【符号の説明】
１００  カード
１６  カード支持面
１  ボディ
３  カバー
１１０  電極
２  コンタクト
１０５  先行端面
３４  板ばね片（カード弾圧手段）
３５  係止片列
３６  第１係止片
３８  囲構部
３７  第２係止片
１０１  片側板面
１０２  他側板面
１０３  溝形凹所
１０４  溝部
１３０  カード挿入口
３９  誘い片
【図１】
2004241355.tif 000003
【図２】
2004241355.tif 000004
【図３】
2004241355.tif 000005
【図４】
2004241355.tif 000006
【図５】
2004241355.tif 000007
【図６】
2004241355.tif 000008
【図７】
2004241355.tif 000009
【図８】
2004241355.tif 000010
【図９】
2004241355.tif 000011